(57)【要約】【課題】デジタル放送を受信する放送受信装置において、信号品質を安定化させる技術を提供する。【解決手段】放送受信装置１は、デジタル放送を中継局２から受信する。放送受信装置１は、アンテナ１１で受信した受信信号を、分配器１２によって選局・復調部１３Ａおよび選局・復調部１３Ｂ（チューナー）へ分配する。受信判定部１４は、各チューナーの受信信号の信号品質を測定する。切替部１５は、チューナーのいずれかを、誤り訂正部１６へ接続する。番組情報抽出部１９は、デジタル放送の放送番組に関する番組情報を取得する。制御部２０は、番組情報に基づいて、異なる中継局２から同一の放送番組を受信するようチューナーの選局を制御し、受信判定部１４の測定結果に基づいて、各チューナーのいずれかを、放送番組の受信に使用するため選択し、選択結果に従って受信する。【選択図】図２
2014049791.tif 000002
【特許請求の範囲】
【請求項１】
デジタル放送を受信する放送受信装置であって、
放送電波を受信するアンテナと、
複数のチューナーと、
アンテナで受信した受信信号を各チューナーへ分配する分配器と、
前記分配器によって分配され各チューナーへ入力される受信信号に基づいて、前記複数のチューナーの受信信号の信号品質を測定する受信判定部と、
前記複数のチューナーのいずれかを、映像出力のための出力回路に接続する切替部と、
前記デジタル放送の放送番組に関する番組情報を取得する取得部と、
前記番組情報に基づいて、異なる放送受信エリアから同一の放送番組を受信するよう各チューナーの選局を制御し、前記受信判定部の測定結果に基づいて、前記放送番組の受信に使用するチューナーを選択し、選択結果に従って前記切替部の接続を制御する制御部とを含む、
放送受信装置。
【請求項２】
前記制御部は、
前記受信判定部による信号品質の測定結果が、所定の閾値以上である場合、前記切替部の選択結果を維持し、
前記受信判定部による信号品質の測定結果が、所定の閾値以下の場合、前記受信判定部による各チューナーの受信信号の信号品質を比較し、比較の結果、前記信号品質が最良のチューナーを前記選択し、選択結果に従って前記切替部の接続を制御する、
請求項１記載の放送受信装置。
【請求項３】
デジタル放送を受信する放送受信装置が放送を受信するための方法であって、
前記放送受信装置は、アンテナと、複数のチューナーと、前記アンテナで受信した受信信号を各チューナーへ分配する分配器と、前記複数のチューナーのいずれかを、映像出力のための出力回路に接続する切替部とを含み、
前記方法は、
前記放送受信装置が、前記分配器によって分配され各チューナーへ入力される受信信号に基づいて、前記複数のチューナーの受信信号の信号品質を測定するステップと、
前記放送受信装置が、前記デジタル放送の放送番組に関する番組情報を取得するステップと、
前記放送受信装置が、前記番組情報に基づいて、異なる放送受信エリアから同一の放送番組を受信するよう各チューナーの選局を制御し、前記信号品質の測定結果に基づいて、前記放送番組の受信に使用するチューナーを選択し、選択結果に従って前記切替部の接続を制御するステップとを含む、
方法。
【請求項４】
デジタル放送を受信する放送受信装置が放送を受信するための処理を制御するプログラムであって、
前記放送受信装置は、プロセッサと、メモリと、アンテナと、複数のチューナーと、前記アンテナで受信した受信信号を各チューナーへ分配する分配器と、前記複数のチューナーのいずれかを、映像出力のための出力回路に接続する切替部とを含み、
前記プログラムは、前記プロセッサに、
前記分配器によって分配され各チューナーへ入力される受信信号に基づいて、前記複数のチューナーの受信信号の信号品質を測定するステップと、
前記デジタル放送の放送番組に関する番組情報を取得するステップと、
前記番組情報に基づいて、異なる放送受信エリアから同一の放送番組を受信するよう各チューナーの選局を制御し、前記信号品質の測定結果に基づいて、前記放送番組の受信に使用するチューナーを選択し、選択結果に従って前記切替部の接続を制御するステップとを実行させる、
プログラム。
【発明の詳細な説明】
【技術分野】
【０００１】
本発明は、デジタル放送を受信する放送受信装置に関し、特に、信号品質を安定させるための技術に関する。
【背景技術】
【０００２】
デジタル放送の電波を受信するために様々な放送受信装置が開発されている。例えば、ユーザは、乗用車に搭載される車載テレビを用いることで、乗用車で移動しながらデジタル放送を視聴することができる。放送受信装置は、移動時において電波強度の変動を受けることがあり、映像品質が悪化する。放送受信装置は、複数のアンテナと、複数のチューナーとを備えてダイバーシティ受信を行うことで、この電波強度の変動の影響を軽減する。放送受信装置がダイバーシティ受信を行う場合、各チューナーは、同一のチャンネルを受信し、電波強度の大きいアンテナを選択する。
【０００３】
デジタル放送を放送する各放送局は、放送電波を受信エリアに送信するため、複数の中継局を設置している。各中継局は、互いに異なる周波数によって放送電波を送信していることもある。また、各放送局は、系列を構成している場合があり、同一の系列の放送局は、それぞれが同一の番組を送信することもある。放送受信装置は、中継局が放送する電波の受信エリアから別の中継局の受信エリアへと移動する場合に、同一の番組を継続して受信するためチャンネルサーチを行う。車載テレビのように移動しながら放送電波を受信する放送受信装置の場合、移動が多くなるほどチャンネルサーチを行ってテレビ放送を継続して受信する機会が増加する。また、受信エリアの境界付近では、放送受信装置のアンテナに電波強度の小さい電波しか届かず、受信が途切れるおそれがある。この場合も、放送受信装置は、チャンネルサーチを行うことで、同一の番組を継続して受信することができる。
【０００４】
チャンネルサーチを行う放送受信装置に関する技術は様々なものが知られている。例えば、特開２０１１−８７０５１号公報（下記の特許文献１）は、チャンネルサーチを行っている間においても、番組を継続受信することが可能な受信装置において、チャンネルサーチを適切なタイミングで行う技術を開示する。特許文献１の受信装置は、具体的には、ダイバーシティ受信のための複数の選局受信部を２つに分け、一方で視聴中の番組を受信し、他方でチャンネルサーチを行い、チャンネルサーチによって新たに受信状態の良い中継局を発見できた場合には、その中継局のチャンネルを選局してチャンネルサーチを終了する。
【先行技術文献】
【特許文献】
【０００５】
【特許文献１】特開２０１１−８７０５１号公報
【発明の概要】
【発明が解決しようとする課題】
【０００６】
上記特許文献の受信装置は、複数のアンテナを備えて上記のチャンネルサーチを実行するため、複数のアンテナを受信装置に設置する必要がある。
【０００７】
しかし、例えば機器の小型化に伴って、複数のアンテナを放送受信装置に設置することが困難な場合もある。したがって、アンテナを設置可能なスペースに制約がある場合においても、放送受信装置が放送電波を安定して受信できる技術が必要とされている。
【課題を解決するための手段】
【０００８】
一実施形態に従う放送受信装置は、デジタル放送を受信する。放送受信装置は、放送電波を受信するアンテナと、複数のチューナーと、アンテナで受信した受信信号を各チューナーへ分配する分配器と、分配器によって分配され各チューナーへ入力される受信信号に基づいて、複数のチューナーの受信信号の信号品質を測定する受信判定部と、複数のチューナーのいずれかを、映像出力のための出力回路に接続する切替部と、デジタル放送の放送番組に関する番組情報を取得する取得部と、番組情報に基づいて、異なる放送受信エリアから同一の放送番組を受信するよう各チューナーの選局を制御し、受信判定部の測定結果に基づいて、放送番組の受信に使用するチューナーを選択し、選択結果に従って切替部の接続を制御する制御部とを含む。
【０００９】
好ましくは、制御部は、受信判定部による信号品質の測定結果が、所定の閾値以上である場合、切替部の選択結果を維持し、受信判定部による信号品質の測定結果が、所定の閾値以下の場合、受信判定部による各チューナーの受信信号の信号品質を比較し、比較の結果、信号品質が最良のチューナーを選択し、選択結果に従って切替部の接続を制御することとしてもよい。
【００１０】
別の実施形態に従うと、デジタル放送を受信する放送受信装置が放送を受信するための方法が提供される。放送受信装置は、アンテナと、複数のチューナーと、アンテナで受信した受信信号を各チューナーへ分配する分配器と、複数のチューナーのいずれかを、映像出力のための出力回路に接続する切替部とを含む。この方法は、放送受信装置が、分配器によって分配され各チューナーへ入力される受信信号に基づいて、複数のチューナーの受信信号の信号品質を測定するステップと、放送受信装置が、デジタル放送の放送番組に関する番組情報を取得するステップと、放送受信装置が、番組情報に基づいて、異なる放送受信エリアから同一の放送番組を受信するよう各チューナーの選局を制御し、信号品質の測定結果に基づいて、放送番組の受信に使用するチューナーを選択し、選択結果に従って切替部の接続を制御するステップとを含む。
【００１１】
別の実施形態に従うと、デジタル放送を受信する放送受信装置が放送を受信するための処理を制御するプログラムが提供される。放送受信装置は、プロセッサと、メモリと、アンテナと、複数のチューナーと、アンテナで受信した受信信号を各チューナーへ分配する分配器と、複数のチューナーのいずれかを、映像出力のための出力回路に接続する切替部とを含む。このプログラムは、プロセッサに、分配器によって分配され各チューナーへ入力される受信信号に基づいて、複数のチューナーの受信信号の信号品質を測定するステップと、デジタル放送の放送番組に関する番組情報を取得するステップと、番組情報に基づいて、異なる放送受信エリアから同一の放送番組を受信するよう各チューナーの選局を制御し、信号品質の測定結果に基づいて、放送番組の受信に使用するチューナーを選択し、選択結果に従って切替部の接続を制御するステップとを実行させる。
【発明の効果】
【００１２】
上記一実施形態によると、デジタル放送を受信する放送受信装置の受信信号の信号品質を向上させることができる。
【００１３】
この発明の上記および他の目的、特徴、局面および利点は、添付の図面と関連して理解されるこの発明に関する次の詳細な説明から明らかとなるであろう。
【図面の簡単な説明】
【００１４】
【図１】本実施形態における放送受信エリアと放送受信装置１を示す図である。
【図２】放送受信装置１の構成を示す機能ブロック図である。
【図３】放送受信装置１の動作を示すフローチャートである。
【発明を実施するための形態】
【００１５】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１６】
本実施形態の放送受信装置１は、デジタル放送を受信するため、１のアンテナから複数のチューナーへ信号が出力される。放送受信装置１の移動時等において、電波強度が変動し、映像の受信品質に影響を及ぼすことがある。この影響に対応するため、放送受信装置１は、１のアンテナで放送電波を受信し、電波強度に応じてチューナーを切り替える。放送受信装置１は、例えば、スマートフォン、タブレット端末、車載用テレビ表示装置である。以下、具体的に説明する。
【００１７】
＜構成＞
図１は、本実施形態における放送受信エリアと放送受信装置１を示す図である。中継局２Ａと中継局２Ｂ（以下、中継局２Ａ、中継局２Ｂなど個々の中継局を総称して「中継局２」と言うこともある）は、デジタル放送の放送電波を送信する。放送受信エリア３Ａは、中継局２Ａが送信する放送電波を受信することが可能なエリアを示す。同様に、放送受信エリア３Ｂは、中継局２Ｂが送信する放送電波を受信することが可能なエリアを示す。
【００１８】
中継局２Ａと中継局２Ｂは、同一の放送番組を送信することがある。また、中継局２Ａと中継局２Ｂは、異なる周波数（チャンネル）で放送電波を送信することがある。すなわち、中継局２は、同一の放送番組を、中継局２Ａと中継局２Ｂとで異なる周波数で送信することがある。放送受信装置１は、放送受信エリアから別の放送受信エリアへと移動する場合、チャンネルサーチを行って同一の放送番組を検出し、チューナーを切り替えることで、継続して同一の放送番組を受信することができる。以下、具体的に説明する。
【００１９】
図２は、放送受信装置１の構成を示す機能ブロック図である。図２に示すように、放送受信装置１は、アンテナ１１と、分配器１２と、選局・復調部１３Ａと、選局・復調部１３Ｂと、受信判定部１４と、切替部１５と、誤り訂正部１６と、デコード部１７と、映像・音声出力部１８と、番組情報抽出部１９と、制御部２０と、を含む。
【００２０】
アンテナ１１は、中継局２から送信される放送電波を受信し、受信信号を分配器１２へ出力する。本実施形態の放送受信装置１は、１本のアンテナ１１を備える。
【００２１】
分配器１２は、アンテナ１１が受信する受信信号を、選局・復調部１３Ａと選局・復調部１３Ｂへ分配する。
【００２２】
選局・復調部１３Ａと選局・復調部１３Ｂ（以下、選局・復調部１３Ａ、選局・復調部１３Ｂなど個々の選局・復調部を総称して「選局・復調部１３」と言うこともある）は、制御部２０の制御に従ってチャンネルを選局し、選局した信号を復調処理する。選局・復調部１３Ａと選局・復調部１３Ｂは、それぞれ受信信号の信号強度など信号品質を測定し、各測定結果を受信判定部１４へ出力する。
【００２３】
受信判定部１４は、選局・復調部１３Ａと選局・復調部１３Ｂとのいずれか、または両方から、受信信号の信号品質の測定結果を受け付けて、受信信号の品質が規定値以上であるかを判定し、判定結果を制御部２０へ出力する。また、受信判定部１４は、選局・復調部１３Ａと選局・復調部１３Ｂから受け付ける信号品質の測定結果を比較することで、選局・復調部１３Ａと選局・復調部１３Ｂのいずれが高品質の信号を受信しているか判定し、判定結果を制御部２０へ出力する。
【００２４】
切替部１５は、制御部２０の制御に従って、選局・復調部１３Ａと選局・復調部１３Ｂのうちいずれかを切り替えて誤り訂正部１６と接続する。切替部１５が上記の切替をすることで、選局・復調部１３Ａと選局・復調部１３Ｂの出力結果のいずれか一方が誤り訂正部１６へ出力される。
【００２５】
誤り訂正部１６は、選局・復調部１３Ａと選局・復調部１３Ｂのうち切替部１５が選択した方の信号の出力結果を受け付けて誤り訂正処理をすることでトランスポートストリーム信号（以下、「ＴＳ信号」ともいう）をデコード部１７および制御部２０へ出力する。デコード部１７は、誤り訂正部１６から供給されるＴＳ信号をデコード処理し、処理結果である映像信号および音声信号を映像・音声出力部１８へ出力する。映像・音声出力部１８は、デコード部１７がデコード処理することで得られる映像信号をディスプレイへ出力し、音声信号をスピーカへ出力する。
【００２６】
番組情報抽出部１９は、誤り訂正部１６が出力するＴＳ信号に基づいて、放送番組に関する情報を抽出し、抽出結果を制御部２０へ出力する。具体的には、番組情報抽出部１９は、ＴＳ信号から、ＮＩＴ（Network  Information  Table）、ＢＩＴ（Broadcaster  Information  Table）、ＳＤＴ（Service  Description  Table）、ＥＩＴ（Event  Information  Table）など、放送番組に関する情報を抽出する。例えば、番組情報抽出部１９は、ＮＩＴからチャンネル番号に関する情報などを抽出し、ＢＩＴから放送局を識別する情報や系列の情報などを抽出する。
【００２７】
制御部２０は、放送受信装置１がデジタル放送を受信して映像及び音声を出力する処理を制御する。制御部２０は、番組情報抽出部１９から放送番組に関する情報を受け付けて、チャンネルサーチ等のため、選局・復調部１３Ａ、選局・復調部１３Ｂの選局を制御する。制御部２０は、受信判定部１４等が出力する受信信号の信号品質の測定結果を受け付けて、受信に使用するチューナー（選局・復調部１３Ａ、選局・復調部１３Ｂ）を選択する。制御部２０の動作は、詳しくは後述する。
【００２８】
＜動作＞
図３を用いて放送受信装置１の動作を説明する。図３は、放送受信装置１の動作を示すフローチャートである。放送受信装置１は、放送電波の受信状況が良好であれば、選局・復調部１３Ａまたは選局・復調部１３Ｂのいずれかを起動して放送電波を受信し、受信状況が悪化するにつれて、選局・復調部１３Ａまたは選局・復調部１３Ｂのいずれの受信状況が良好か判定する。以下、具体的に説明する。
【００２９】
ステップＳ１１において、放送受信装置１の制御部２０は、選局・復調部１３Ａまたは選局・復調部１３Ｂのうち放送電波の受信に使用されている方（切替部１５で選択されている選局・復調部１３）の受信信号の信号品質を受信判定部１４から取得する。制御部２０は、受信判定部１４から取得した受信信号の信号品質が規定値を下回っているか判定する。受信信号の信号品質が規定値を下回っていない場合（ステップＳ１１：ＮＯ）、制御部２０は、選局・復調部１３Ａと選局・復調部１３Ｂのうち、信号の受信に使用している選局・復調部１３を用いて信号の受信を継続する。受信信号の信号品質が規定値を下回っている場合（ステップＳ１１：ＹＥＳ）、制御部２０は、ステップＳ１３の処理を実行する。
【００３０】
ステップＳ１３において、制御部２０は、選局・復調部１３Ａまたは選局・復調部１３Ｂのうち、放送電波の受信に使用していない方を起動する。選局・復調部１３Ａまたは選局・復調部１３Ｂのうち、新たに起動した方のチャンネルを制御するため、制御部２０は、番組情報抽出部１９から放送番組に関する情報を受信し、チャンネルサーチを行う。制御部２０は、チャンネルサーチの結果に従って、選局・復調部１３Ａまたは選局・復調部１３Ｂのうち、新たに起動した方のチャンネルを制御して信号を受信させる。受信判定部１４は、選局・復調部１３Ａの受信信号の信号品質と、選局・復調部１３Ｂの受信信号の信号品質の両方を制御部２０へ出力する。
【００３１】
ステップＳ１５において、制御部２０は、選局・復調部１３Ａ（第１のチューナーとする）と選局・復調部１３Ｂ（第２のチューナーとする）の双方の受信信号の信号品質を比較して、信号品質がよい方を選択する。例えば、制御部２０は、第１のチューナーの受信信号の信号品質（Ｔ１）が第２のチューナーの受信信号の信号品質（Ｔ２）より良好である場合、ステップＳ１７の処理を実行する。
【００３２】
ステップＳ１７において、制御部２０は、第１のチューナー（選局・復調部１３Ａ）を選択し、選局・復調部１３Ａを用いて放送電波を受信するため切替部１５を制御して選局・復調部１３Ａと誤り訂正部１６とを接続する。
【００３３】
ステップＳ２１において、制御部２０は、放送電波の受信時に使用している選局・復調部１３Ａの受信信号の信号品質を受信判定部１４から取得して、取得した信号品質が規定値以上であるか判定する。受信判定部１４から取得した信号品質が規定値以上でなければ（ステップＳ２１：ＮＯ）、制御部２０は、ステップＳ１５の処理に戻る。受信判定部１４から取得した信号品質が規定値以上であれば（ステップＳ２１：ＹＥＳ）、制御部２０は、ステップＳ２５の処理に進む。
【００３４】
ステップＳ２５において、制御部２０は、第２のチューナー（選局・復調部１３Ｂ）の動作を終了する。
【００３５】
また、ステップＳ１５において、制御部２０は、第２のチューナーの受信信号の信号品質が第１のチューナーの受信信号の信号品質より良好である場合（ステップＳ１５：ＮＯ）、ステップＳ１９の処理を実行する。
【００３６】
ステップＳ１９において、制御部２０は、第２のチューナー（選局・復調部１３Ｂ）を選択し、選局・復調部１３Ｂを用いて放送電波を受信するため切替部１５を制御して選局・復調部１３Ｂと誤り訂正部１６とを接続する。
【００３７】
ステップＳ２３において、制御部２０は、放送電波の受信時に使用している選局・復調部１３Ｂの受信信号の信号品質を受信判定部１４から取得して、取得した信号品質が規定値以上であるか判定する。受信判定部１４から取得した信号品質が規定値以上でなければ（ステップＳ２３：ＮＯ）、制御部２０は、ステップＳ１５の処理に戻る。受信判定部１４から取得した信号品質が規定値以上であれば（ステップＳ２３：ＹＥＳ）、制御部２０は、ステップＳ２７の処理に進む。
【００３８】
ステップＳ２７において、制御部２０は、第１のチューナー（選局・復調部１３Ａ）の動作を終了する。
【００３９】
以上のように実施の形態の放送受信装置１について具体的に説明した。本実施形態の放送受信装置１は、１つのアンテナからの出力を、複数のチューナーに入力しており、アンテナで受信している信号の品質が低下した場合に、１つのアンテナで受信した信号を複数に分け、それぞれのチューナーに入力する。例えば、放送受信装置１が放送受信エリアの境界にいる場合、いずれの中継局からの放送電波も受信が安定しないことがある。
【００４０】
この場合、放送受信装置１は、一方の中継局から送信される放送番組を受信してチューナーに入力しておき、他方の中継局から送信される同じ放送番組を別のチューナーで受信して受信信号の信号品質を比較する。比較結果に基づいて、放送受信装置１は、電波が強いチューナーを用いて信号を受信する。これにより、放送受信装置１は、１つのアンテナを用いているにもかかわらず安定して信号を受信することができ、放送受信装置１の移動時における電波の変動に対して受信信号の信号品質が良好になる。
【００４１】
＜変形例＞
上記実施形態の放送受信装置１を、以下のように変形することもできる。
【００４２】
実施形態の説明では、１本のアンテナを備える放送受信装置について説明したが、アンテナの本数は１本に限られない。
【００４３】
上記実施形態の説明では、図３のステップＳ１５以降の処理において、複数のチューナーそれぞれの受信信号の信号品質を比較する処理をしているが、放送受信装置１は、ステップＳ１５の処理を実行後、一定期間を経過するまで、ステップＳ１５の処理を再実行することを制限してもよい。放送受信装置１が放送受信エリアの境界付近に位置する場合であって、受信信号の品質が安定しないときは、複数のチューナーが起動し続け、消費電力が大きくなるおそれがある。そのため、ステップＳ１５の処理によって選局・復調部１３Ａまたは選局・復調部１３Ｂを選択した後、放送受信装置１は、選局・復調部１３Ａまたは選局・復調部１３Ｂのうち、選択されなかったものの動作を終了し（ステップＳ１７または）、一定期間後にステップＳ１１の処理に戻ることとしてもよい。
【００４４】
以上、本発明者によってなされた発明を実施の形態に基づき具体的に説明したが、本発明は前記実施の形態に限定されるものではなく、その要旨を逸脱しない範囲で種々変更可能であることはいうまでもない。今回開示された実施の形態はすべての点で例示であって制限的なものでないと考えられるべきである。この発明の範囲は上記した説明ではなくて特許請求の範囲によって示され、特許請求の範囲と均等の意味および範囲内でのすべての変更が含まれることが意図される。
【符号の説明】
【００４５】
１  放送受信装置、２  中継局、３  放送受信エリア、１１  アンテナ、１２  分配器、１３  選局・復調部、１４  受信判定部、１５  切替部、１６  誤り訂正部、１７  デコード部、１８  映像・音声出力部、１９  番組情報抽出部、２０  制御部。
【図１】
2014049791.tif 000003
【図２】
2014049791.tif 000004
【図３】
2014049791.tif 000005